(57)【要約】【課題】Ｋ用の感光体１Ｋと駆動ローラとで駆動モータを共有して低コスト化を図りつつ、ドットの重ね合わせズレを許容レベル内に留める。【解決手段】Ｋ用の感光体１Ｋと図示しない中間転写ベルトを駆動する駆動ローラとで、Ｋ駆動モータ９０Ｋを兼用した。また、Ｙ，Ｍ，Ｃ用の感光体１Ｙ，Ｍ，Ｃでカラー駆動モータ９０ＹＭＣを兼用した。そして、駆動モータ９０Ｋを所定速度で駆動したときに得られるＫ用の感光体１Ｋの速度変動波形である第１波形と、カラー駆動モータＹＭＣを所定速度で駆動したときに得られる感光体１Ｙ，Ｍ，Ｃの速度変動波形である第２波形とに基づいてカラー駆動モータ９０ＹＭＣの駆動を制御するようにした。【選択図】図９
2010008510.tif 000002
【特許請求の範囲】
【請求項１】
回転する自らの表面に可視像を担持する複数の像担持体と、それら像担持体のうちの何れか１つだけの駆動源である第１駆動源と、他の像担持体の駆動源である第２駆動源と、該第１駆動源によって駆動される像担持体、及び該第２駆動源によって駆動される像担持体について、それぞれ所定の回転角度になったことを個別に検知する回転検知手段と、自らの表面を無端移動させる無端移動体と、各像担持体の表面にそれぞれ形成された可視像を、該無端移動体の表面、あるいは該無端移動体の表面に保持される記録部材に重ね合わせて転写する転写手段と、該回転検知手段からの出力に基づいて、該第１駆動源及び第２駆動源の駆動を制御する制御手段とを備える画像形成装置において、
像担持体、及び像担持体を駆動するための駆動伝達手段とは異なる所定の部材の駆動源として上記第１駆動源を兼用し、
所定の速度で駆動される上記第１駆動源の駆動力によって駆動される像担持体の１回転あたりにおける速度変動、及び所定の速度で駆動される上記第２駆動源の駆動力によって駆動される像担持体の１回転あたりにおける速度変動、を検知した結果に基づいて、前者の速度変動の波形である第１波形、及び後者の速度変動の波形である第２波形を把握する波形把握手段を設け、
且つ、上記回転検知手段からの出力に基づいて、上記第１駆動源によって駆動している像担持体における１回転あたりの基準タイミングを把握するとともに、上記第２駆動源によって駆動している像担持体における１回転あたりの基準タイミングを把握し、それらの基準タイミングと、上記波形把握手段によって把握された上記第１波形及び第２波形とに基づいて上記第２駆動源の駆動を制御することで、所定の速度で駆動している上記第１駆動源の駆動力によって駆動される像担持体の上記第１波形の位相及び振幅に対して、上記第２駆動源によって駆動される像担持体の速度変動波形の位相及び振幅を合わせる処理を実施するように、上記制御手段を構成したことを特徴とする画像形成装置。
【請求項２】
請求項１の画像形成装置において、
上記第２駆動源を、２つ以上の像担持体の駆動源として兼用し、それら２つ以上の像担持体のうち、少なくとも特定の１つの像担持体についての速度変動波形を上記第２波形として把握するように上記波形把握手段を構成し、且つ、その特定の１つの像担持体についての該第２波形の位相及び振幅を、上記第１波形の位相及び振幅に合わせる処理を実施するように、上記制御手段を構成したことを特徴とする画像形成装置。
【請求項３】
請求項１の画像形成装置において、
上記第２駆動源を、２つ以上の像担持体の駆動源として兼用し、それら２つ以上の像担持体についてそれぞれその１回転あたりにおける速度変動波形を上記第２波形として個別に把握するように上記波形把握手段を構成し、且つ、上記第２波形の位相及び振幅を上記第１波形に合わせる処理に代えて、該波形把握手段によって把握される複数の第２波形の位相及び振幅を平均化した平均波形における位相及び振幅を、上記第１波形の位相及び振幅に合わせる処理を実施するように、上記制御手段を構成したことを特徴とする画像形成装置。
【請求項４】
請求項１乃至３の何れかの画像形成装置において、
複数の上記像担持体として、互いに異なる色の可視像を担持するものを用い、
上記第１駆動源により、黒色の可視像を担持する像担持体を駆動するようにし、
且つ、上記第１駆動源によって駆動される上記所定の部材として、上記無端移動体を採用したことを特徴とする画像形成装置。
【請求項５】
請求項１乃至４の何れかの画像形成装置において、
複数の像担持体についてそれぞれ、その回転軸部材の回転軸線上で上記第１駆動源又は第２駆動源からの駆動力を受けて回転しながら該駆動力を該回転軸線上の像担持体に伝達する像担持体ギヤと、該回転軸部材と該像担持体ギヤとを該回転軸線上で連結する連結手段とを設け、該連結手段による連結を解放することで、該像担持体ギヤを画像形成装置本体側に残した状態で該像担持体を画像形成装置本体に対して脱着可能にしたことを特徴とする画像形成装置。
【請求項６】
請求項５の画像形成装置において、
複数の像担持体についての画像形成装置本体に対する脱着操作をそれぞれ個別に検知する脱着検知手段を設け、
該脱着検知手段によって何れかの像担持体についての脱着操作が検知された場合に、脱着された像担持体の速度変動波形を上記第１波形又は第２波形として把握してデータ記憶手段に記憶するように上記波形把握手段を構成し、
且つ、該データ記憶手段に記憶されている上記第１波形及び第２波形のデータと、上記回転検知手段からの出力とに基づいて上記第１駆動源及第２駆動源の駆動を制御するように、上記制御手段を構成したことを特徴とする画像形成装置。
【請求項７】
回転する自らの表面に可視像を担持する複数の像担持体のうち、何れか１つだけを第１駆動源によって駆動する工程と、他の像担持体の少なくとも１つを第２駆動源によって駆動する工程と、該第１駆動源によって駆動される像担持体、及び該第２駆動源によって駆動される像担持体について、それぞれ所定の回転角度になったことを個別に検知する回転検知工程と、各像担持体の表面にそれぞれ形成された可視像を、無端移動体の無端移動する表面、あるいは該無端移動体の無端移動する表面に保持される記録部材に転写する転写工程と、該回転検知工程における検知結果に基づいて、該第１駆動源及び第２駆動源の駆動を制御する制御工程とを実施する画像形成方法において、
像担持体、及び像担持体を駆動するための駆動伝達手段とは異なる所定の部材の駆動源として上記第１駆動源を兼用し、
所定の速度で駆動される上記第１駆動源の駆動力によって駆動される像担持体の１回転あたりにおける速度変動、及び所定の速度で駆動される上記第２駆動源の駆動力によって駆動される像担持体の１回転あたりにおける速度変動、を検知した結果に基づいて、前者の速度変動の波形である第１波形、及び後者の速度変動の波形である第２波形を把握する波形把握工程を設け、
且つ、上記制御工程で、上記回転検知工程における検知結果に基づいて、上記第１駆動源によって駆動している像担持体における１回転あたりの基準タイミングを把握するとともに、上記第２駆動源によって駆動している像担持体における１回転たりの基準タイミングを把握し、それらの基準タイミングと、上記波形把握工程での把握結果とに基づいて上記第２駆動源の駆動を制御することで、所定の速度で駆動している上記第１駆動源の駆動力によって駆動される像担持体の上記第１波形の位相及び振幅に対して、上記第２駆動源によって駆動される像担持体の速度変動波形の位相及び振幅を合わせる処理を実施することを特徴とする画像形成方法。
【発明の詳細な説明】
【技術分野】
【０００１】
本発明は、複数の像担持体にそれぞれ形成した可視像を、無端移動体の無端移動する表面、あるいはその表面に保持される記録部材に重ね合わせて転写する画像形成装置及び画像形成方法に関するものである。
【背景技術】
【０００２】
従来、この種の画像形成装置としては、特許文献１に記載のものが知られている。この画像形成装置は、像担持体たる複数の感光体と、それぞれの感光体との対向位置を順次通過するように無端移動せしめられる無端移動体たるベルト部材とを備えている。そして、電子写真プロセスにより、それぞれの感光体の表面に互いに色の異なるトナー像を形成しながら、ベルト部材の表面に保持した記録紙に重ね合わせて転写する。この重ね合わせの転写により、記録紙の表面上に多色トナー像を形成する。
【０００３】
このようにして他色トナー像を形成する画像形成装置においては、感光体の回転軸に固定された感光体ギヤの偏心に起因して、各色のドットが重ね合わせズレを引き起こすことがある。具体的には、感光体ギヤにおいて、偏心によって回転軸からギヤ歯先までの距離が最も長くなっている最大径箇所が原動側ギヤに噛み合うと、感光体の線速が１回転あたりで最も遅くなる。これに対し、偏心によって回転軸からギヤ歯先までの距離が最も短くなっている最小径箇所が原動ギヤに噛み合うと、感光体の線速が１回転あたりで最も速くなる。感光体ギヤにおける最大径箇所と最小径箇所とは、回転軸を基準にして互いに１８０°の点対称の位置にあるので、感光体の線速にはギヤ１周あたりで１周期分のサインカーブを描くような変動特性が現れる。このサインカーブにおける最大値と最小値との間にひかれる中心線を境にした山と谷とのうち、谷の箇所が出現しているときには、感光体の線速が本来（中心線の値）よりも遅くなる。すると、感光体上のドットが感光体よりも速い速度で移動する記録紙に対して本来よりもベルト移動方向に引き伸ばされて転写される。一方、サインカーブの山の箇所が出現しているときには、感光体の線速が本来よりも速くなる。すると、感光体上のドットが感光体よりも遅い速度で移動する記録紙に対して本来よりもベルト移動方向に収縮されて転写される。各色のドットがそのような伸縮をそれぞれ個別に引き起こすことで、重ね合わせズレが生ずるのである。
【０００４】
特許文献１に記載の画像形成装置は、ドットの重ね合わせズレを次のようにして抑えるようになっている。即ち、まず、速度変動波形検出用のパターン像を所定のタイミングでベルト部材上に形成する。このパターン像は、各色のパッチ状のトナー像を所定の順序でベルト表面移動方向に並べたものであり、各色の感光体に速度変動が生じていなければ、それらのトナー像が等間隔に並ぶ。これに対し、各色の感光体に速度変動が生じていると、ベルト部材上で各色のトナー像が等間隔で並ばなくなり、その間隔のズレは各色の感光体の速度変動を反映する。この間隔のズレを、各色のトナー像を検知するフォトセンサからの出力に基づいて検出することで、各色の感光体についてそれぞれサインカーブ状の速度変動波形を検出する。そして、そのサインカーブ状の速度変動を打ち消すことが可能な感光体の駆動速度変化パターンを求めて、データ記憶手段に記憶しておく。次いで、プリントジョブの際には、まず、各色の感光体の回転軸にそれぞれ固定されたエンコーダーからの出力に基づいて、各色の感光体についてそれぞれ１回転周期における基準タイミングを把握する。そして、各色の感光体をそれぞれ個別に駆動する複数の駆動モータの駆動速度を、前述の基準タイミングと、予め記憶しておいた駆動速度変化パターンとに基づいて微調整する。この微調整により、各色の感光体の速度変動を低減することで、各色のドットの重ね合わせズレを抑えることができる。
【０００５】
なお、特許文献１に記載の画像形成装置では、感光体の速度変動に起因するドットの重ね合わせズレの他に、ベルト部材を駆動する駆動ローラ等の速度変動に起因するドットの重ね合わせズレも検出している。そのために、上述したパターン像を形成しているが、感光体の速度変動だけを検出して駆動モータの制御に反映させるのであれば、パターン像の形成を省略することが可能である。感光体の速度変動波形については、感光体の回転軸に固定したエンコーダーからの出力に基づいて検出することが可能だからである。
【０００６】
また、特許文献１に記載の画像形成装置を例にして、ベルト部材の表面に保持した状態で搬送している記録紙に対するドットの重ね合わせズレについて説明したが、同様の重ね合わせズレは、次のような構成の画像形成装置でも生ずる。即ち、各色の感光体上に形成したトナー像をベルト部材たる中間転写ベルトに重ね合わせて転写した後、記録紙に一括転写する構成である。
【０００７】
一方、特許文献２には、各色の感光体間で速度変動波形の位相を合わせることで、各色のドットの重ね合わせズレを低減する画像形成装置が記載されている。具体的には、この画像形成装置は、各感光体の配設ピッチを感光体周長の整数倍に設定している。このような設定では、ベルト部材を何れか１つの感光体に対向する位置から、その隣の感光体に対向する位置まで移動させる間に、各感光体ギヤをそれぞれ整数回だけ回転させる。このため、各感光体ギヤの最大半径箇所や最小半径箇所の回転位相をそれぞれ合わせた状態で各感光体を回転させれば、互いに隣り合う２つの感光体で次のようなドット同士を記録紙に重ね合わせて転写することになる。即ち、感光体が１回転あたりの最大の線速で駆動しているときに転写位置に進入させたドット同士や、感光体が１回転あたりの最小の線速で駆動しているときに転写位置に進入させたドット同士である。このような重ね合わせでは、感光体の速度変動に起因して本来よりも引き伸ばされて転写されるドット同士や、本来よりも収縮されて転写されるドット同士を互いに重ね合わせることで、ドットの重ね合わせズレを抑えることができる。そこで、特許文献２に記載の画像形成装置においては、各感光体ギヤの最大径箇所又は最小径箇所に付した目印をそれぞれ所定位置で検知する複数のフォトセンサを設けている。そして、各フォトセンサによる目印の検知タイミングを同期させるように、各色の駆動モータの駆動を制御するようになっている。
【０００８】
【特許文献１】特許第３１８６６１０号公報
【特許文献２】特開平２００３−１９４１８１号公報
【発明の開示】
【発明が解決しようとする課題】
【０００９】
ところで、装置の低コスト化が求められる近年においては、感光体を駆動する駆動モータを、感光体とは異なる部材の駆動源として兼用することが望まれる場合がある。例えば、各色の感光体にそれぞれ対応する複数の駆動モータのうち、モノクロモード、カラーモードの別にかかわらず駆動するブラック（Ｋ）用の駆動モータを、ベルト部材の駆動源として兼用したい場合がある。このような場合に、Ｋ用の感光体の偏心に起因して出現する速度変動を打ち消すよために、Ｋ用の駆動モータの駆動速度を所定の駆動速度変化パターンに基づいて微調整すると、その微調整によってベルト部材の速度を変動させてしまう。よって、特許文献１に記載のような、駆動速度変化パターンに基づいて駆動モータの駆動速度を微調整するという処理を採用することができない。これに対し、特許文献２に記載の画像形成装置のように、各色の感光体ギヤの回転位相を合わせる処理を採用すれば、前述のようなベルト部材の速度変動を引き起こすことなく、各色ドットの重ね合わせズレを抑えることができる。
【００１０】
しかしながら、高画質化が求められる近年においては、各色の感光体ギヤの回転位相を合わせるだけでは、許容レベルを超える各色ドットの重ね合わせズレが残ってしまう可能性がある。具体的には、各色の感光体ギヤの回転位相を合わせるだけでは、各色ドットの重ね合わせズレを無くすことはできない。例えば、イエロー（Ｙ），マゼンタ（Ｍ），シアン（Ｃ），ブラック（Ｋ）のトナー像をそれぞれ個別の感光体上に形成して記録紙上に重ね合わせて転写する構成において、各色の感光体に図１に示すような速度変動が生じているとする。同図の例では、各色に個別に対応する４つの感光体のうち、Ｙ用の感光体の速度変動が最も大きくなっている。また、Ｃ用の感光体の速度変動が最も小さくなっている。同図に示すように、各感光体の速度変動波形の位相を互いに合わせるように各感光体の回転を制御すれば、各色で最大線速のときに転写されるドット同士や、最小線速のときに転写されるドット同士を重ねてズレ量を小さくすることができる。しかしながら、図２に示すように、４つの感光体のうち、速度変動が最も大きいＹ用の感光体における速度変動波形の振幅と、速度変動が最も小さいＣ用の感光体における速度変動波形の振幅との差分に相当する重ね合わせズレが残ってしまう。そして、振幅の差分が比較的大きければ、その重ね合わせズレ量が許容レベルを超えてしまう。
【００１１】
本発明は以上の背景に鑑みてなされたものであり、その目的とするところは、次のような画像形成装置や画像形成方法を提供することである。即ち、像担持体と他の部材とで駆動源を共有して低コスト化を図りつつ、ドットの重ね合わせズレを許容レベル内に留めることができる画像形成装置等である。
【課題を解決するための手段】
【００１２】
上記目的を達成するために、請求項１の発明は、回転する自らの表面に可視像を担持する複数の像担持体と、それら像担持体のうちの何れか１つだけの駆動源である第１駆動源と、他の像担持体の駆動源である第２駆動源と、該第１駆動源によって駆動される像担持体、及び該第２駆動源によって駆動される像担持体について、それぞれ所定の回転角度になったことを個別に検知する回転検知手段と、自らの表面を無端移動させる無端移動体と、各像担持体の表面にそれぞれ形成された可視像を、該無端移動体の表面、あるいは該無端移動体の表面に保持される記録部材に重ね合わせて転写する転写手段と、該回転検知手段からの出力に基づいて、該第１駆動源及び第２駆動源の駆動を制御する制御手段とを備える画像形成装置において、像担持体、及び像担持体を駆動するための駆動伝達手段とは異なる所定の部材の駆動源として上記第１駆動源を兼用し、所定の速度で駆動される上記第１駆動源の駆動力によって駆動される像担持体の１回転あたりにおける速度変動、及び所定の速度で駆動される上記第２駆動源の駆動力によって駆動される像担持体の１回転あたりにおける速度変動、を検知した結果に基づいて、前者の速度変動の波形である第１波形、及び後者の速度変動の波形である第２波形を把握する波形把握手段を設け、且つ、上記回転検知手段からの出力に基づいて、上記第１駆動源によって駆動している像担持体における１回転あたりの基準タイミングを把握するとともに、上記第２駆動源によって駆動している像担持体における１回転あたりの基準タイミングを把握し、それらの基準タイミングと、上記波形把握手段によって把握された上記第１波形及び第２波形とに基づいて上記第２駆動源の駆動を制御することで、所定の速度で駆動している上記第１駆動源の駆動力によって駆動される像担持体の上記第１波形の位相及び振幅に対して、上記第２駆動源によって駆動される像担持体の速度変動波形の位相及び振幅を合わせる処理を実施するように、上記制御手段を構成したことを特徴とするものである。
また、請求項２の発明は、請求項１の画像形成装置において、上記第２駆動源を、２つ以上の像担持体の駆動源として兼用し、それら２つ以上の像担持体のうち、少なくとも特定の１つの像担持体についての速度変動波形を上記第２波形として把握するように上記波形把握手段を構成し、且つ、その特定の１つの像担持体についての該第２波形の位相及び振幅を、上記第１波形の位相及び振幅に合わせる処理を実施するように、上記制御手段を構成したことを特徴とするものである。
また、請求項３の発明は、請求項１の画像形成装置において、上記第２駆動源を、２つ以上の像担持体の駆動源として兼用し、それら２つ以上の像担持体についてそれぞれその１回転あたりにおける速度変動波形を上記第２波形として個別に把握するように上記波形把握手段を構成し、且つ、上記第２波形の位相及び振幅を上記第１波形に合わせる処理に代えて、該波形把握手段によって把握される複数の第２波形の位相及び振幅を平均化した平均波形における位相及び振幅を、上記第１波形の位相及び振幅に合わせる処理を実施するように、上記制御手段を構成したことを特徴とするものである。
また、請求項４の発明は、請求項１乃至３の何れかの画像形成装置において、複数の上記像担持体として、互いに異なる色の可視像を担持するものを用い、上記第１駆動源により、黒色の可視像を担持する像担持体を駆動するようにし、且つ、上記第１駆動源によって駆動される上記所定の部材として、上記無端移動体を採用したことを特徴とするものである。
また、請求項５の発明は、請求項１乃至４の何れかの画像形成装置において、複数の像担持体についてそれぞれ、その回転軸部材の回転軸線上で上記第１駆動源又は第２駆動源からの駆動力を受けて回転しながら該駆動力を該回転軸線上の像担持体に伝達する像担持体ギヤと、該回転軸部材と該像担持体ギヤとを該回転軸線上で連結する連結手段とを設け、該連結手段による連結を解放することで、該像担持体ギヤを画像形成装置本体側に残した状態で該像担持体を画像形成装置本体に対して脱着可能にしたことを特徴とするものである。
また、請求項６の発明は、請求項５の画像形成装置において、複数の像担持体についての画像形成装置本体に対する脱着操作をそれぞれ個別に検知する脱着検知手段を設け、該脱着検知手段によって何れかの像担持体についての脱着操作が検知された場合に、脱着された像担持体の速度変動波形を上記第１波形又は第２波形として把握してデータ記憶手段に記憶するように上記波形把握手段を構成し、且つ、該データ記憶手段に記憶されている上記第１波形及び第２波形のデータと、上記回転検知手段からの出力とに基づいて上記第１駆動源及第２駆動源の駆動を制御するように、上記制御手段を構成したことを特徴とするものである。
また、請求項７の発明は、回転する自らの表面に可視像を担持する複数の像担持体のうち、何れか１つだけを第１駆動源によって駆動する工程と、他の像担持体の少なくとも１つを第２駆動源によって駆動する工程と、該第１駆動源によって駆動される像担持体、及び該第２駆動源によって駆動される像担持体について、それぞれ所定の回転角度になったことを個別に検知する回転検知工程と、各像担持体の表面にそれぞれ形成された可視像を、無端移動体の無端移動する表面、あるいは該無端移動体の無端移動する表面に保持される記録部材に転写する転写工程と、該回転検知工程における検知結果に基づいて、該第１駆動源及び第２駆動源の駆動を制御する制御工程とを実施する画像形成方法において、像担持体、及び像担持体を駆動するための駆動伝達手段とは異なる所定の部材の駆動源として上記第１駆動源を兼用し、所定の速度で駆動される上記第１駆動源の駆動力によって駆動される像担持体の１回転あたりにおける速度変動、及び所定の速度で駆動される上記第２駆動源の駆動力によって駆動される像担持体の１回転あたりにおける速度変動、を検知した結果に基づいて、前者の速度変動の波形である第１波形、及び後者の速度変動の波形である第２波形を把握する波形把握工程を設け、且つ、上記制御工程で、上記回転検知工程における検知結果に基づいて、上記第１駆動源によって駆動している像担持体における１回転あたりの基準タイミングを把握するとともに、上記第２駆動源によって駆動している像担持体における１回転たりの基準タイミングを把握し、それらの基準タイミングと、上記波形把握工程での把握結果とに基づいて上記第２駆動源の駆動を制御することで、所定の速度で駆動している上記第１駆動源の駆動力によって駆動される像担持体の上記第１波形の位相及び振幅に対して、上記第２駆動源によって駆動される像担持体の速度変動波形の位相及び振幅を合わせる処理を実施することを特徴とするものである。
【発明の効果】
【００１３】
これらの発明においては、複数の像担持体の何れか１つと、像担持体や像担持体の駆動伝達手段とは異なる部材とで、第１駆動源を共有することで、低コスト化を図ることができる。
また、第１駆動源の駆動対象となる像担持体を第１駆動源によって所定の速度で駆動した場合に出現してしまう速度変動波形である第１波形の位相に対して、第２駆動源の駆動対象となる像担持体を第２駆動源によって所定の速度で駆動した場合に出現してしまう速度変動波形である第２波形の位相を合わせるように、第１駆動源及び第２駆動源の駆動を制御する。このとき、単に位相を合わせるだけであれば、それら速度変動波形の振幅の差分に相当する重ね合わせズレが残ってしまうが、位相だけでなく振幅も合わせる。これにより、振幅の差分に相当する重ね合わせズレをほぼ無くす。具体的には、第２波形の振幅が第１波形の振幅に比べて大きい場合には、第２波形の振幅をより小さくして第１波形の振幅と等しくするように、第２駆動源の駆動速度を調整する。一方、第２波形の振幅が第１波形の振幅に比べて小さい場合には、第２波形の振幅をより大きくして第１波形の振幅と等しくするように、第２駆動源の駆動速度を調整する。第２波形の位相を第１波形の位相に合わせた状態で、このようにして第２波形の振幅を第１波形の振幅と等しくすると、両波形の振幅の差がほぼ無くなることから、その差分に相当する重ね合わせズレをほぼ無くすことが可能になる。これにより、ドットの重ね合わせズレを許容レベル内に留めることができる。
【発明を実施するための最良の形態】
【００１４】
以下、本発明を適用した画像形成装置として、電子写真方式のプリンタ（以下、単にプリンタという）の一実施形態について説明する。
まず、本プリンタの基本的な構成について説明する。図３は、実施形態に係るプリンタを示す概略構成図である。同図において、実施形態に係るプリンタは、イエロー，マゼンタ，シアン，ブラック（以下、Ｙ，Ｍ，Ｃ，Ｋと記す）のトナー像を生成するための４つのプロセスユニット６Ｙ，Ｍ，Ｃ，Ｋを備えている。これらは、画像形成物質として、Ｙ，Ｍ，Ｃ，Ｋトナーを用いるが、それ以外は同様の構成になっており、寿命到達時に交換される。Ｙトナー像を生成するためのプロセスユニット６Ｙを例にすると、図４に示すように、ドラム状の感光体１Ｙ、ドラムクリーニング装置２Ｙ、除電装置（不図示）、帯電装置４Ｙ、現像器５Ｙ等を備えている。画像形成ユニットたるプロセスユニット６Ｙは、プリンタ本体に脱着可能であり、一度に消耗部品を交換できるようになっている。
【００１５】
帯電装置４Ｙは、図示しない駆動手段によって図中時計回りに回転せしめられる感光体１Ｙの表面を一様帯電せしめる。像担持体たる感光体１Ｙの一様帯電せしめられた表面は、レーザ光Ｌによって露光走査されてＹ用の静電潜像を担持する。このＹの静電潜像は、Ｙトナーと磁性キャリアとを含有するＹ現像剤を用いる現像器５ＹによってＹトナー像に現像される。そして、後述する中間転写ベルト８上に中間転写される。ドラムクリーニング装置２Ｙは、中間転写工程を経た後の感光体１Ｙ表面に残留したトナーを除去する。また、上記除電装置は、クリーニング後の感光体１Ｙの残留電荷を除電する。この除電により、感光体１Ｙの表面が初期化されて次の画像形成に備えられる。他色のプロセスユニット（６Ｍ，Ｃ，Ｋ）においても、同様にして感光体（１Ｍ，Ｃ，Ｋ）上に（Ｍ，Ｃ，Ｋ）トナー像が形成されて、中間転写ベルト８上に中間転写される。
【００１６】
現像器５Ｙは、そのケーシングの開口から一部露出させるように配設された現像ロール５１Ｙを有している。また、互いに平行配設された２つの搬送スクリュウ５５Ｙ、ドクターブレード５２Ｙ、トナー濃度センサ（以下、Ｔセンサという）５６Ｙなども有している。
【００１７】
現像器５Ｙのケーシング内には、磁性キャリアとＹトナーとを含む図示しないＹ現像剤が収容されている。このＹ現像剤は２つの搬送スクリュウ５５Ｙによって撹拌搬送されながら摩擦帯電せしめられた後、上記現像ロール５１Ｙの表面に担持される。そして、ドクターブレード５２Ｙによってその層厚が規制されてからＹ用の感光体１Ｙに対向する現像領域に搬送され、ここで感光体１Ｙ上の静電潜像にＹトナーを付着させる。この付着により、感光体１Ｙ上にＹトナー像が形成される。現像器５Ｙにおいて、現像によってＹトナーを消費したＹ現像剤は、現像ロール５１Ｙの回転に伴ってケーシング内に戻される。
【００１８】
２つの搬送スクリュウ５５Ｙの間には仕切壁が設けられている。この仕切壁により、現像ロール５１Ｙや図中右側の搬送スクリュウ５５Ｙ等を収容する第１供給部５３Ｙと、図中左側の搬送スクリュウ５５Ｙを収容する第２供給部５４Ｙとがケーシング内で分かれている。図中右側の搬送スクリュウ５５Ｙは、図示しない駆動手段によって回転駆動せしめられ、第１供給部５３Ｙ内のＹ現像剤を図中手前側から奥側へと搬送しながら現像ロール５１Ｙに供給する。図中右側の搬送スクリュウ５５Ｙによって第１供給部５３Ｙの端部付近まで搬送されたＹ現像剤は、上記仕切壁に設けられた図示しない開口部を通って第２供給部５４Ｙ内に進入する。第２供給部５４Ｙ内において、図中左側の搬送スクリュウ５５Ｙは、図示しない駆動手段によって回転駆動せしめられ、第１供給部５３Ｙから送られてくるＹ現像剤を図中右側の搬送スクリュウ５５Ｙとは逆方向に搬送する。図中左側の搬送スクリュウ５５Ｙによって第２供給部５４Ｙの端部付近まで搬送されたＹ現像剤は、上記仕切壁に設けられたもう一方の開口部（図示せず）を通って第１供給部５３Ｙ内に戻る。
【００１９】
透磁率センサからなる上述のＴセンサ５６Ｙは、第２供給部５４Ｙの底壁に設けられ、その上を通過するＹ現像剤の透磁率に応じた値の電圧を出力する。トナーと磁性キャリアとを含有する二成分現像剤の透磁率は、トナー濃度と良好な相関を示すため、Ｔセンサ５６ＹはＹトナー濃度に応じた値の電圧を出力することになる。この出力電圧の値は、図示しない制御部に送られる。この制御部は、Ｔセンサ５６Ｙからの出力電圧の目標値であるＹ用Ｖｔｒｅｆを格納したＲＡＭを備えている。このＲＡＭ内には、他の現像器に搭載された図示しないＴセンサからの出力電圧の目標値であるＭ用Ｖｔｒｅｆ、Ｃ用Ｖｔｒｅｆ、Ｋ用Ｖｔｒｅｆのデータも格納されている。Ｙ用Ｖｔｒｅｆは、後述するＹ用のトナー搬送装置の駆動制御に用いられる。具体的には、上記制御部は、Ｔセンサ５６Ｙからの出力電圧の値をＹ用Ｖｔｒｅｆに近づけるように、図示しないＹ用のトナー搬送装置を駆動制御して第２供給部５４Ｙ内にＹトナーを補給させる。この補給により、現像器５Ｙ内のＹ現像剤中のＹトナー濃度が所定の範囲内に維持される。他のプロセスユニットの現像器についても、Ｍ，Ｃ，Ｋ用のトナー搬送装置を用いた同様のトナー補給制御が実施される。
【００２０】
先に示した図３において、プロセスユニット６Ｙ，Ｍ，Ｃ，Ｋの図中下方には、光書込ユニット７が配設されている。潜像形成手段たる光書込ユニット７は、画像情報に基づいて発したレーザ光Ｌにより、プロセスユニット６Ｙ，Ｍ，Ｃ，Ｋにおけるそれぞれの感光体を走査する。この走査により、感光体１Ｙ，Ｍ，Ｃ，Ｋ上にＹ，Ｍ，Ｃ，Ｋ用の静電潜像が形成される。なお、光書込ユニット７は、光源から発したレーザ光（Ｌ）を、モータによって回転駆動されるポリゴンミラー上での反射によって主走査方向に偏向せしめながら、複数の光学レンズやミラーを介して感光体に照射するものである。
【００２１】
光書込ユニット７の図中下側には、給紙カセット２６、これらに組み込まれた給紙ローラ２７など有する紙収容手段が配設されている。給紙カセット２６は、シート状の記録体たる転写紙Ｐを複数枚重ねて収納しており、それぞれの一番上の転写紙Ｐには給紙ローラ２７を当接させている。給紙ローラ２７が図示しない駆動手段によって図中反時計回りに回転せしめられると、一番上の転写紙Ｐが給紙路７０に向けて送り出される。
【００２２】
この給紙路７０の末端付近には、レジストローラ対２８が配設されている。レジストローラ対２８は、転写紙Ｐを挟み込むべく両ローラを回転させるが、挟み込んですぐに回転を一旦停止させる。そして、転写紙Ｐを適切なタイミングで後述の２次転写ニップに向けて送り出す。
【００２３】
プロセスユニット６Ｙ，Ｍ，Ｃ，Ｋの図中上方には、中間転写体たる中間転写ベルト８を張架しながら無端移動せしめる無端移動体たる転写ユニット１５が配設されている。この転写ユニット１５は、中間転写ベルト８の他、２次転写バイアスローラ１９、クリーニング装置１０などを備えている。また、４つの１次転写バイアスローラ９Ｙ，Ｍ，Ｃ，Ｋ、駆動ローラ１２、クリーニングバックアップローラ１３、テンションローラ１４なども備えている。中間転写ベルト８は、これら７つのローラに張架されながら、駆動ローラ１２の回転駆動によって図中反時計回りに無端移動せしめられる。１次転写バイアスローラ９Ｙ，Ｍ，Ｃ，Ｋは、このように無端移動せしめられる中間転写ベルト８を感光体１Ｙ，Ｍ，Ｃ，Ｋとの間に挟み込んでそれぞれ１次転写ニップを形成している。これらは中間転写ベルト８の裏面（ループ内周面）にトナーとは逆極性（例えばプラス）の転写バイアスを印加する方式のものである。１次転写バイアスローラ９Ｙ，Ｍ，Ｃ，Ｋを除くローラは、全て電気的に接地されている。中間転写ベルト８は、その無端移動に伴ってＹ，Ｍ，Ｃ，Ｋ用の１次転写ニップを順次通過していく過程で、感光体１Ｙ，Ｍ，Ｃ，Ｋ上のＹ，Ｍ，Ｃ，Ｋトナー像が重ね合わせて１次転写される。これにより、中間転写ベルト８上に４色重ね合わせトナー像（以下、４色トナー像という）が形成される。
【００２４】
上記駆動ローラ１２は、２次転写ローラ１９との間に中間転写ベルト８を挟み込んで２次転写ニップを形成している。中間転写ベルト８上に形成された可視像たる４色トナー像は、この２次転写ニップで転写紙Ｐに転写される。そして、転写紙Ｐの白色と相まって、フルカラートナー像となる。２次転写ニップを通過した後の中間転写ベルト８には、転写紙Ｐに転写されなかった転写残トナーが付着している。これは、クリーニング装置１０によってクリーニングされる。２次転写ニップで４色トナー像が一括２次転写された転写紙Ｐは、転写後搬送路７１を経由して定着装置２０に送られる。
【００２５】
定着装置２０は、内部にハロゲンランプ等の発熱源を有する定着ローラ２０ａと、これに所定の圧力で当接しながら回転する加圧ローラ２０ｂとによって定着ニップを形成している。定着装置２０内に送り込まれた転写紙Ｐは、その未定着トナー像担持面を定着ローラ２０ａに密着させるようにして、定着ニップに挟まれる。そして、加熱や加圧の影響によってトナー像中のトナーが軟化さしめられて、フルカラー画像が定着せしめられる。
【００２６】
定着装置２０内でフルカラー画像が定着せしめられた転写紙Ｐは、定着装置２０を出た後、排紙路７２と反転前搬送路７３との分岐点にさしかかる。この分岐点には、第１切替爪７５が揺動可能に配設されており、その揺動によって転写紙Ｐの進路を切り替える。具体的には、爪の先端を反転前送路７３に近づける方向に動かすことにより、転写紙Ｐの進路を排紙路７２に向かう方向にする。また、爪の先端を反転前搬送路７３から遠ざける方向に動かすことにより、転写紙Ｐの進路を反転前搬送路７３に向かう方向にする。
【００２７】
第１切替爪７５によって排紙路７２に向かう進路が選択されている場合には、転写紙Ｐは、排紙路７２から排紙ローラ対１００を経由した後、機外へと配設されて、プリンタ筺体の上面に設けられたスタック５０ａ上にスタックされる。これに対し、第１切替爪７５によって反転前搬送路７３に向かう進路が選択されている場合には、転写紙Ｐは反転前搬送路７３を経て、反転ローラ対２１のニップに進入する。反転ローラ対２１は、ローラ間に挟み込んだ転写紙Ｐをスタック部５０ａに向けて搬送するが、転写紙Ｐの後端をニップに進入させる直前で、ローラを逆回転させる。この逆転により、転写紙Ｐがそれまでとは逆方向に搬送されるようになり、転写紙Ｐの後端側が反転搬送路７４内に進入する。
【００２８】
反転搬送路７４は、鉛直方向上側から下側に向けて湾曲しながら延在する形状になっており、路内に第１反転搬送ローラ対２２、第２反転搬送ローラ対２３、第３反転搬送ローラ対２４を有している。転写紙Ｐは、これらローラ対のニップを順次通過しながら搬送されることで、その上下を反転させる。上下反転後の転写紙Ｐは、上述の給紙路７０に戻された後、再び２次転写ニップに至る。そして、今度は、画像非担持面を中間転写ベルト８に密着させながら２次転写ニップに進入して、その画像非担持面に中間転写ベルトの第２の４色トナー像が一括２次転写される。この後、転写後搬送路７１、定着装置２０、排紙路７２、排紙ローラ対１００を経由して、機外のスタック部５０ａ上にスタックされる。このような反転搬送により、転写紙Ｐの両面にフルカラー画像が形成される。
【００２９】
上記転写ユニット１５と、これよりも上方にあるスタック部５０ａとの間には、ボトル支持部３１が配設されている。このボトル支持部３１は、Ｙ，Ｍ，Ｃ，Ｋトナーを収容するトナー収容部たるトナーボトル３２Ｙ，Ｍ，Ｃ，Ｋを搭載している。トナーボトル３２Ｙ，Ｍ，Ｃ，Ｋは、互いに水平よりも少し傾斜した角度で並ぶように配設され、Ｙ、Ｍ、Ｃ、Ｋという順で配設位置が高くなっている。トナーボトル３２Ｙ，Ｍ，Ｃ，Ｋ内のＹ，Ｍ，Ｃ，Ｋトナーは、それぞれ後述するトナー搬送装置により、プロセスユニット６Ｙ，Ｍ，Ｃ，Ｋの現像器に適宜補給される。これらのトナーボトル３２Ｙ，Ｍ，Ｃ，Ｋは、プロセスユニット６Ｙ，Ｍ，Ｃ，Ｋとは独立してプリンタ本体に脱着可能である。
【００３０】
本プリンタは、モノクロモードのプリントジョブでは、４つの感光体１Ｙ，Ｍ，Ｃ，Ｋのうち、Ｋ用の感光体１Ｋだけを駆動する。このとき、転写ユニット１５の姿勢の調整により、中間転写ベルト８を４つの感光体１Ｙ，Ｍ，Ｃ，ＫのうちＫ用の感光体１Ｋだけに接触させる。一方、カラーモードのプリントジョブでは、４つの感光体１Ｙ，Ｍ，Ｃ，Ｋの全てを駆動する。このとき、転写ユニット１５の姿勢の調整により、中間転写ベルト８を４つの感光体１Ｙ，Ｍ，Ｃ，Ｋの全てに接触させる。
【００３１】
図５は、プロセスユニット及び感光体駆動系を示す斜視図である。なお、実施形態に係るプリンタにおいて、各色のプロセスユニットや感光体駆動系の構成はほぼ同じであるので、同図においては、それらを色分けで区別することなく、各色共通のものとして示している。このため、それらプロセスユニットや感光体駆動系の符号の末尾に付すＹ，Ｍ，Ｃ，Ｋという添字を省略している。
【００３２】
同図において、連結手段の一部であるカップリング２０１、感光体ギヤ２０２、駆動モータ９０などからなる感光体駆動系は、プリンタ本体内に固定されている。一方、プロセスユニット６は、プリンタ本体に対して脱着可能になっている。プロセスユニット６の感光体１は、回転軸線方向の両端面からそれぞれ突出する回転軸部材を具備しており、それら回転軸部材をそれぞれユニット筐体の外部に突出させている。そして、これら２つの回転軸部材のうち、図中の死角領域に存在している図示しない方の回転軸部材には、連結手段の一部である図示しない周知のカップリングが固定されている。また、もう一方の回転軸部材には、ロータリーエンコーダー２５０が固定されている。このロータリーエンコーダー２５０は、感光体１の回転角速度を検知してそれの結果を後述する制御部に出力する。
【００３３】
プリンタ本体側では、感光体ギヤ２０２が支持板によって回転自在に支持されている。この感光体ギヤ２０２の回転中心には、カップリング２０１が形成されており、このカップリング２０１は、感光体１の回転軸に固定された図示しないカップリングと軸線方向に連結する。この連結により、感光体ギヤ２０２の回転駆動力がそれら２つのカップリングを介して感光体１に伝達される。感光体ギヤ２０２の歯車には、駆動モータ９０のモータギヤが噛み合っており、これによって駆動モータ９０の回転駆動力が感光体ギヤ２０２に伝達される。プロセスユニット６がプリンタ本体内から引き抜かれると、感光体１の回転軸部材に固定された図示しないカップリングと、感光体ギヤ２０２に形成されたカップリング２０１との連結が解除される。
【００３４】
このようなカップリングによる連結を採用している構成では、駆動モータ９０を等速で駆動すると、２種類の速度変動成分の波形を重畳した速度変動が感光体１に発生する。その２種類の速度変動成分の１つは、これまで説明してきた、感光体ギヤ２０２の偏心に起因する速度変動である。また、もう１つは、互いに連結している２つのカップリングの回転軸線が僅かにずれる（以下、カップリングズレという）ことに起因する速度変動である。図６に示すように、感光体ギヤの偏心に起因する速度変動成分の波形の振幅は、カップリングズレに起因する速度変動成分の波形の振幅よりもかなり大きくなる。これは、感光体ギヤの回転半径が、カップリングの回転半径よりもかなり大きいからである。２つの速度変動成分の波形において、互いの位相が一致することは希で、通常は図示のように互いの位相がずれる。感光体１に実際に生ずる速度変動の波形、即ち、前述した２つの速度変動成分の波形を重畳したもの、においては、図示のように、その位相が、２つの速度変動成分の波形における何れの位相からもずれる。但し、感光体ギヤ２０２の偏心に起因する速度変動成分の波形の位相からほんの僅かにずれるだけである。つまり、感光体１に実際に生ずる速度変動の波形の位相は、感光体ギヤ２０２の偏心に起因する速度変動成分の波形の位相とは微妙に異なるが、両位相はかなり近いものになる。
【００３５】
本プリンタにおいては、Ｙ，Ｍ，Ｃ，Ｋの各色について、それぞれ図５に示したプロセスユニット６及び感光体駆動系を具備している。各色におけるそれらの構成はほぼ同じであるが、Ｋにおいては、駆動モータ９０（Ｋ）が感光体１（Ｋ）の他に、転写ユニットの駆動ローラも駆動するようになっている。このため、駆動モータ９０（Ｋ）のモータギヤに対して、感光体ギヤ２０２（Ｋ）の他に、駆動ローラに駆動力を伝達するための図示しないプーリーギヤが噛み合っている。かかる構成においては、Ｋ用の感光体１Ｋと、駆動ローラ（図１の１２３）とでＫ用の駆動モータ（９０Ｋ）を共有することで、低コスト化を図ることができる。
【００３６】
Ｙ，Ｍ，Ｃ，Ｋ用の４つの駆動モータ９０（Ｙ，Ｍ，Ｃ，Ｋ）は、それぞれ図示しない制御手段としての制御部によって駆動が制御される。この制御部は、演算処理を行うＣＰＵ（Central Processing Unit）、制御プログラムや各種データを記憶するＲＯＭ(Read Only Memory)、各種データを一時的に記憶するＲＡＭ（Random Access Memory）などを具備している。そして、プリンタの電源スイッチがＯＮされた直後や、プロセスユニット６の脱着操作が検知された直後などといった所定のタイミングで、速度変動波形把握処理を実施する。この速度変動波形把握処理では、まず、各色の感光体１Ｙ，Ｍ，Ｃ，Ｋを個別に駆動する各色の駆動モータ９０（Ｙ，Ｍ，Ｃ，Ｋ）をそれぞれ所定の速度で駆動する。そして、各色の感光体１Ｙ，Ｍ，Ｃ，Ｋにそれぞれ固定されたロータリーエンコーダー（２５０Ｙ，Ｍ，Ｃ，Ｋ）からの出力に基づいて、感光体１Ｙ，Ｍ，Ｃ，Ｋの速度変動波形を検出する。
【００３７】
図７は、速度変動波形処理によって検出された速度変動波形の一例を示すグラフである。同図において、縦軸の変動量は、具体的には、速度変動量［ｍｍ／ｓｅｃ］、又は変位量［μｍ］である。変位量［μｍ］を例にすれば、縦軸におけるプラス側の領域に付された目盛は＋１０［μｍ］程度である。また、マイナス側の領域に付された目盛は−１０［μｍ］程度である（図１や後述する図８も同様）。各色の駆動モータ９０（Ｙ，Ｍ，Ｃ，Ｋ）の所定速度による駆動を開始した直後に検出される各色の感光体１Ｙ，Ｍ，Ｃ，Ｋの速度変動波形は、図示のように、互いに位相や振幅がばらばらである。制御部は、各色についてそれぞれ図示のような速度変動波形を検出したら、次に、等速駆動中の各色の感光体１Ｙ，Ｍ，Ｃ，Ｋについて、各色のロータリーエンコーダー（２５０Ｙ，Ｍ，Ｃ，Ｋ）からの出力に基づいて、１回転（１周期）における基準タイミングを把握する。この基準タイミングは、感光体ギヤが所定の回転角度になったことを示すタイミングである。その所定の回転角度については、どのような角度に設定してもよいが、本プリンタでは、感光体ギヤの最小径箇所がモータギヤと噛み合ったタイミング、即ち、速度変動波形のプラス側のピークが得られるタイミングとしている。等速駆動中の各色の感光体１Ｙ，Ｍ，Ｃ，Ｋについて、各色のロータリーエンコーダー（２５０Ｙ，Ｍ，Ｃ，Ｋ）からの出力に基づいて、１回転毎に、その基準タイミングを把握するのである。次に、Ｙ，Ｍ，Ｃ用の駆動モータ（９０Ｙ，Ｍ，Ｃ）の駆動量をそれぞれ一時的に変化させて、Ｋ用の感光体１Ｋの基準タイミングに対して、Ｙ，Ｍ，Ｃ用の感光体１Ｙ，Ｍ，Ｃの基準タイミングを同期させる。これにより、図８に示すように、各色の感光体１Ｙ，Ｍ，Ｃ，Ｋにおける速度変動波形の位相を一致させる。
【００３８】
このようにして、速度変動波形の位相を一致させたら、次に、Ｙ，Ｍ，Ｃ用の感光体１Ｙ，Ｍ，Ｃ，Ｋについてそれぞれ、図示の波形（第２波形）の振幅を、図示のＫ用の感光体における速度変動波形（第１波形）の振幅に一致させ得る駆動速度変化パターンを求める。例えば、図示の例では、Ｙ用の駆動モータを等速駆動したときに得られるＹ用の感光体１Ｙの第２波形（図中点線）の振幅がＫ用の駆動モータを等速駆動したときに得られるＫ用の感光体１Ｋの速度変動波形である第１波形の振幅よりも大きくなっている。そこで、制御部は、Ｙ用の感光体１Ｙの速度変動量を等速駆動の場合よりも少し小さくして、Ｙ用の感光体１Ｙの速度変動波形を、Ｋ用の感光体１Ｋの第１波形とほぼ一致させるような駆動速度パターンを求める。そして、その駆動速度パターンに従ってＹ用の駆動モータの駆動速度を微調整することで、図中実線で示すように、Ｙ用の感光体１Ｙの速度変動波形を、Ｋ用の感光体１Ｋの第１波形とほぼ一致させる（位相を一致させることに加えて、振幅を同じにする）。これにより、Ｋトナー像のドットと、Ｙトナー像のドットとの重ね合わせズレをほぼ無くすことが可能な状態にする。
【００３９】
また、図示の例では、Ｍ用の駆動モータを所定の速度で駆動したときに得られるＭ用の感光体１Ｍの第２波形（図中点線）の振幅がＫ用の感光体１Ｋの第１波形の振幅よりも小さくなっている。そこで、制御部は、Ｍ用の感光体１Ｍの速度変動量を等速駆動の場合よりも少し大きくして、Ｍ用の感光体１Ｍの速度変動波形を、Ｋ用の感光体１Ｋの第１波形とほぼ一致させるような駆動速度パターンを求める。そして、その駆動速度パターンに従ってＭ用の駆動モータの駆動速度を微調整することで、図中実線で示すように、Ｍ用の感光体１Ｍの速度変動波形を、Ｋ用の感光体１Ｋの第１波形とほぼ一致させる。これにより、Ｋトナー像のドットと、Ｍトナー像のドットとの重ね合わせズレをほぼ無くすことが可能な状態にする。ここで注目すべきは、等速駆動によって得られる第２波形の振幅がＫ用の感光体１Ｋにおける第１波形の振幅よりも小さい場合には、駆動モータの駆動速度の調整によって速度変動量を却って大きくしている点である。このように、速度変動量を却って大きくして、速度変動波形をＫ用の感光体１Ｋの第１波形にほぼ一致させることで、重ね合わせズレをほぼ無くしているのである。この点において、本発明は、駆動モータの駆動速度の微調整により、各色の感光体の速度変動を何れも大幅に低減することで、各色ドットの重ね合わせズレを低減している特許文献１に記載の発明とは技術的思想が全く異なっている。
【００４０】
図示の例では、Ｃ用の駆動モータを等速駆動したときに得られるＣ用の感光体１Ｃの第２波形（図中点線）の振幅も、Ｋ用の感光体１Ｋの第１波形の振幅よりも小さくなっている。そこで、制御部は、Ｃ用の感光体１Ｃの速度変動量を等速駆動の場合よりも少し大きくして、Ｃ用の感光体１Ｃの速度変動波形を、Ｋ用の感光体１Ｋの第１波形とほぼ一致させるような駆動速度パターンを求める。そして、その駆動速度パターンに従ってＣ用の駆動モータの駆動速度を微調整することで、図中実線で示すように、Ｃ用の感光体１Ｃの速度変動波形を、Ｋ用の感光体１Ｋの第１波形とほぼ一致させる。これにより、Ｋトナー像のドットと、Ｍトナー像のドットとの重ね合わせズレをほぼ無くすことが可能な状態にする。
【００４１】
以上のように、Ｙ，Ｍ，Ｃについてそれぞれ、Ｋとの重ね合わせズレをほぼ無くすことが可能な状態にした後に、各色の感光体１Ｙ，Ｍ，Ｃ，Ｋに対する光書込を開始する。このようにして、本プリンタにおいては、各色のドットの重ね合わせズレを許容レベル内に留めることができる。
【００４２】
なお、本プリンタにおいては、制御部と、各色のロータリーエンコーダー（２５０Ｙ，Ｍ，Ｃ，Ｋ）との組合せは、等速駆動されるＫ用の駆動モータの駆動力によって駆動されるＫ用の感光体１Ｋの１回転あたりにおける速度変動波形である第１波形、及び等速駆動されるＹ，Ｍ，Ｃ用の駆動モータの駆動力によって駆動されるＹ，Ｍ，Ｃ用の感光体１Ｙ，Ｍ，Ｃの１回転あたりにおける速度変動波形である第２波形、を把握する波形把握手段として機能している。また、各色の感光体について、それぞれ所定の回転角度になったことを個別に検知する回転検知手段としても機能している。
【００４３】
［実施例］
次に、実施形態に係るプリンタに、より特徴的な構成を付加した実施例のプリンタについて説明する。なお、以下に特筆しない限り、実施例に係るプリンタの構成は、実施形態と同様である。
【００４４】
図９は、実施形態に係るプリンタにおける４つの感光体１Ｙ，Ｍ，Ｃ，Ｋの周囲構成を示す拡大構成図である。また、図１０は、同周囲構成を示す斜視図である。これらの図において、Ｋ用の感光体ギヤ２０２Ｋには、Ｋ用の駆動モータ９０Ｋのモータ軸に固定されたＫモータギヤ９５が噛み合っている。Ｋ用の感光体１Ｋは、このかみ合いにより、Ｋ用の駆動モータ９０Ｋの回転駆動力が伝達されて回転駆動せしめられる。Ｋモータギヤ９５には、図示しないプーリーギヤにも噛み合っており、このプーリーギヤの回転により、Ｋ用の駆動モータ９０Ｋの駆動力が図示しない駆動ローラに伝達される。
【００４５】
一方、Ｍ用の感光体ギヤ２０２ＭとＣ用の感光体ギヤ２０２Ｃとの間には、カラーモータギヤ９６がこれら感光体ギヤに噛み合うように配設されている。このカラーモータギヤ９６は、カラー用の駆動モータ９０ＹＭＣのモータ軸に固定されており、カラー用の駆動モータ９０ＹＭＣの駆動力をＭ用の感光体ギヤ２０２Ｍと、Ｃ用の感光体ギヤ２０２Ｃとに伝達する。これにより、Ｍ用の感光体１Ｍと、Ｃ用の感光体１Ｃとがそれぞれ回転駆動せしめられる。また、Ｙ用の感光体ギヤ２０２Ｙと、Ｍ用の感光体ギヤ２０２Ｍとの間には、アイドラギヤ９７がこれら感光体ギヤに噛み合うように配設されている。これにより、カラー用の駆動モータ９０ＹＭＣの駆動力が、カラーモータギヤ９６、Ｍ用の感光体ギヤ２０２Ｍ、アイドラギヤ９７、Ｙ用の感光体ギヤ２０２Ｙを順次介して、Ｙ用の感光体１Ｙに伝達される。
【００４６】
かかる構成により、Ｋ以外の３つの感光体１Ｙ，Ｍ，Ｃは、１つのカラー用の駆動モータ９０ＹＭＣによって回転駆動せしめられる。３つの感光体１Ｙ、Ｍ、Ｃにそれぞれ対応する感光体ギヤ２０２Ｙ，Ｍ，Ｃは、互いの最大偏心箇所（最大径箇所）を常に同じ回転角度に位置させた状態で回転するように噛み合わされている。具体的には、感光体ギヤ２０２Ｙ，Ｍ，Ｃは、それぞれ最大偏心箇所に目印ｍｋが刻まれている。そして、その目印ｍｋを互いに同じ回転角度に位置させる状態で噛み合わされているのである。図示の状態では、感光体ギヤ２０２Ｙ，Ｍ，Ｃのそれぞれの目印ｍｋが、何れも時計の７時の位置で停止しているのがわかる。感光体ギヤ２０２Ｙ，Ｍ，Ｃの偏心による回転位相が互いに同期しているのである。
【００４７】
本プリンタでは、各感光体の配設ピッチはそれぞれ等しく設定されているため、各感光体ギヤの回転位相を互いに同期させることで、次のことが可能になる。即ち、感光体ギヤ２０２Ｙ，Ｍ，Ｃの偏心に起因するＹ，Ｍ，Ｃドットの伸縮パターンを、Ｙ，Ｍ，Ｃの１次転写ニップで互いに同期させることができる。
【００４８】
上述したように、本プリンタにける感光体駆動系では、感光体ギヤの偏心に起因する感光体の速度変動成分（以下、ギヤ速度変動成分という）の他に、カップリングズレに起因する感光体の速度変動成分（以下、カップリング速度変動成分という）が生ずる。そして、感光体に実際に生ずるの速度変動波形は、それら２つの速度変動成分の波形を重畳した波形（以下、実変動波形という）となり、これの位相は、ギヤ速度変動成分の波形から少しだけずれる。しかし、既に述べたように、ギヤ速度変動成分の方が、カップリング速度変動成分よりもかなり大きいため、実変動波形の位相は、ギヤ速度変動成分の位相に非常に近いものとなる。よって、感光体ギヤ２０２Ｙ，Ｍ，Ｃの偏心による回転位相を互いに同期させるようにそれらギヤを噛み合わせることで、感光体１Ｙ，Ｍ，Ｃの実変動波形をほぼ同期させることができる。
【００４９】
感光体ギヤ２０２Ｙ，Ｍ，Ｃは、何れも金型を用いた樹脂の成型によって製造されたものであり、その金型によって偏心の位置や偏心量が決まってくる。そこで、金型の最大偏心箇所に目印ｍｋを成型するための溝を掘り込んでおけば、成形時に目印ｍｋを同時形成することが可能である。図９に示した感光体ギヤ２０２Ｙ，Ｍ，Ｃの目印ｍｋは、何れもこのようにして同時形成されたものである。成型時に目印ｍｋが同時形成されていないギヤを感光体ギヤとして用いる場合には、その最大偏心箇所を測定装置によって特定して目印ｍｋを付せばよい。測定装置としては、例えば、ギヤを回転駆動させながら、そのギヤの側方に配設したセンサにより、センサとギヤ歯先との距離変動を測定するものを例示することができる。また、エンコーダーを固定した回転軸にギヤを取り付け、そのギヤにモータギヤを噛み合わせて回転駆動させながら、エンコーダーからの出力に基づいて最大偏心箇所を特定するものでもよい。
【００５０】
Ｋ用の感光体１Ｋは、他の感光体とは別の駆動源であるＫ用の駆動モータ９０Ｋによって回転駆動される。Ｋ用の感光体１Ｋだけ駆動源が別になっているのは、モノクロプリントの需要がカラープリントに比べて高いことに起因する。需要の高いモノクロプリント時においては、Ｋ用の感光体１Ｋだけを駆動させるようにすることで、他の感光体１Ｙ，Ｍ，Ｃやモータの消耗を抑えたり、省エネルギー化を図ったりするためである。
【００５１】
モノクロプリント時には、Ｋ用の感光体１Ｋだけが回転駆動されることから、Ｋ用の感光体ギヤ２０２Ｋと、他の感光体ギヤ２０２Ｙ，Ｍ，Ｃとの最大偏心箇所の位相は、どうしても異なってくる。そこで、本プリンタでは、プリント動作開始時に、Ｋ用の感光体ギヤ２０２Ｋと、他の感光体ギヤ２０２Ｙ，Ｍ，Ｃとの回転位相差をゼロに合わせる位相差合わせ制御を実施するようになっている。
【００５２】
図１１は、４つの感光体の周囲構成を図９とは逆側から示す拡大構成図である。同図において、Ｋ用の感光体１Ｋのカップリング２０１Ｋにおける感光体ギヤ２０２Ｋとは反対側の端部には、Ｋ回転円盤２０３Ｋが固定されている。このＫ回転円盤２０３Ｋには、部分的に径が大きくなる大径部２０４Ｋが一体形成されており、これはＫ用の感光体ギヤ２０２Ｋが所定の回転位置になったときに、透過型フォトセンサからなるＫギヤセンサ９１Ｋによって検知される。
【００５３】
一方、Ｃ用の感光体１Ｃのカップリング２０１Ｃにおける感光体ギヤ２０２Ｃとは反対側の端部には、カラー回転円盤２０３ＹＭＣが固定されている。このカラー回転円盤２０３ＹＭＣにも、部分的に径が大きくなる大径部２０４ＹＭＣが一体形成されており、これはＹ，Ｍ，Ｃ用の感光体ギヤ２０２Ｙ，Ｍ，Ｃがそれぞれ所定の回転位置になったときに、透過型フォトセンサからなるカラーギヤセンサ９１ＹＭＣによって検知される。
【００５４】
なお、本プリンタでは、Ｋ回転円盤２０３Ｋの大径部２０４Ｋ、カラー回転円盤２０３ＹＭＣの大径部２０４ＹＭＣともに、感光体ギヤの最大径部分と同じ回転角度に位置させるようにそれぞれの回転円盤を取り付けている。
【００５５】
図１２は、実施例に係るプリンタにおける中間転写ベルト８の一部と、その周囲構成とを示す斜視図である。同図において、中間転写ベルト８の幅方向の一端部に対しては、第１トナー像検知センサ２６１が所定の間隙を介して対向している。また、他端部に対しては、第２トナー像検知センサ２６２が所定の間隙を介して対向している。これらトナー像検知センサは、反射型フォトセンサ等からなり、中間転写ベルト８上のトナー像を検知して、検知信号を出力する。
【００５６】
図１３は本プリンタの電気回路の一部を示すブロック図である。図においてバス９４には、プロセスユニット６Ｙ，Ｍ，Ｃ，Ｋ、光書込ユニット７、給紙カセット２６、レジストモータ９２、データ入力ポート６８、転写ユニット１５、操作表示部９３、制御部１５０などが接続されている。また、Ｙ，Ｍ，Ｃ，Ｋプロセスユニット９Ｙ，Ｍ，Ｃ，Ｋ、Ｋギヤセンサ９１Ｋ、カラーギヤセンサ９１ＹＭＣなども接続されている。更には、第１トナー像検知センサ２６１、第２トナー像検知センサ２６２、Ｙユニットセンサ２６３Ｙ、Ｍユニットセンサ２６３Ｍ、Ｃユニットセンサ２６３Ｃ、Ｋユニットセンサ２６３Ｋなども接続されている。
【００５７】
レジストモータ９２は、上述したレジストローラ対２８の駆動源である。また、データ入力ポート６８は、外部の図示しないパーソナルコンピュータ等から送られてくる画像情報を受信するものである。また、制御部１５０は、プリンタ全体の駆動制御を司るものであり、ＣＰＵ１ａ、情報記憶手段たるＲＡＭ１ａ、ＲＯＭ１ｂなどを有している。また、操作表示部９３は、タッチパネル、あるいは液晶パネル及び複数のタッチキーから構成されるのもで、制御部１５０の制御によって様々な情報を表示したり、操作者からの入力情報を制御部１５０に送ったりする。また、４つのユニットセンサ（２６３Ｙ，Ｍ，Ｃ，Ｋ）は、それぞれプリンタ本体内にセットされているプロセスユニット（６Ｙ，Ｍ，Ｃ，Ｋ）を検知して、検知信号を出力する。制御部１５０は、ユニットセンサからの検知信号が検知されなくなった後、再び検知されるようになったことに基づいて、そのユニットセンサに対応するプロセスユニットの脱着操作を検知する。即ち、本プリンタでは、各色のユニットセンサ（２６３Ｙ，Ｍ，Ｃ，Ｋ）と制御部１５０とにより、各色の感光体１Ｙ，Ｍ，Ｃ，Ｋについてのプリンタ本体に対する脱着操作をそれぞれ個別に検知する脱着検知手段が構成されている。
【００５８】
制御部１５０は、何れかのプロセスユニットについての着脱操作を検知すると、その後、ユーザーの命令に基づくプリントジョブを開始するのに先立って、少なくともそのプロセスユニットの感光体について実変動波形を取得するための波形取得処理を実施する。この波形取得処理では、まず、速度変動波形検出用のパターン像を中間転写ベルト８に形成する。このパターン像Ｔｐは、図１４に示すように、複数のパッチ状のトナー像ｔｋ０１，ｔｋ０２，ｔｋ０３・・・を、ベルト移動方向に並べたものである。制御部１５０は、例えばＫ用のプロセスユニット６Ｋの脱着操作を検知した場合には、Ｋ用のプロセスユニット６Ｋを用いて、複数のパッチ状のＫトナー像を並べたＫ用のパターン像Ｔｐを形成する。Ｋ用の感光体１Ｋに速度変動が生じていなければ、それらのＫトナー像が所定間隔に並ぶ。しかし、Ｋ用の感光体１Ｋには、ギヤ偏心やカップリングズレに起因して、どうしても速度変動が生ずる。このため、中間転写ベルト８上に形成されたＫ用のパターン像Ｔｐ内では、複数のＫトナー像の間隔に誤差が生ずる。この誤差は、Ｋ用の感光体１Ｋの速度変動を反映している。制御部１５０は、先に図１２に示したように、中間転写ベルト８上のパターン像Ｔｐ内における各Ｋトナー像が第１トナー像検知センサ２６１によって検知される時間間隔に基づいて、Ｋ用の感光体１Ｋの実変動波形を検出する。そして、それまでＲＡＭ内に記憶していたＫ用の実変動波形のデータを、新たに検出したものに更新する。
【００５９】
なお、同時に２つのプロセスユニットの着脱を検知した場合には、図示のように、一方のユニットに対応するパターン像Ｔｐを中間転写ベルト８の幅方向の一端部に形成して第１トナー像検知センサ２６１で検知する。更に、これと並行して、もう一方のユニットに対応するパターン像Ｔｐを中間転写ベルト８の幅方向の他端部に形成して第２トナー像検知センサ２６２で検知する。
【００６０】
また、同時に３つ、あるいは４つのプロセスユニットの着脱を検知した場合には、まず、それらのうちの２つについて、先の説明と同様にしてパターン像Ｔｐの形成及び検知を行った後、残りの２つあるいは１つについて、同様の処理を行う。
【００６１】
また、パターン像Ｔｐを中間転写ベルト８上で検知させることに代えて、各色の感光体１Ｙ，Ｍ，Ｃ，Ｋ上で検知させるように、それら感光体にそれぞれ対向させてトナー像検知センサを設けてもよい。
【００６２】
次に、実施例に係るプリンタに、より特徴的な構成を付加した各具体例のプリンタについて説明する。なお、以下に特筆しない限り、各具体例のプリンタの構成は、実施例と同様である。
［第１具体例］
感光体の駆動モータを駆動ローラの駆動源としても兼用しているＫを基準色として捉えると、このＫに対しては、Ｙ，Ｍ，Ｃのうち、Ｍが最もドットのズレを認識し易い色となる。そこで、第１具体例に係るプリンタでは、互いにカラー用の駆動モータ９０ＹＭＣを兼用している３つの感光体１Ｙ，Ｍ，Ｃのうち、Ｍ用の感光体１Ｍの実変動波形をＫ用の感光体１Ｋの実変動波形に合わせるようになっている。
【００６３】
図１５は、第１具体例に係るプリンタにおける各色の感光体の実変動波形を示すグラフである。４つの感光体のうち、Ｙ，Ｍ，Ｃ用の３つの感光体１Ｙ，Ｍ，Ｃは、互いに感光体ギヤが噛み合わさった状態で組み付けられている。そして、それらの共通の駆動源であるカラー用の駆動モータ９０ＹＭＣの駆動量にかかわらず、互いに実変動波形の移動の関係が一定となる。つまり、それら感光体１Ｙ，Ｍ，Ｃにおけるそれぞれの実変動波形は、図示のように互いに位相が僅かにずれているが、このズレの関係は駆動モータ９０ＹＭＣの駆動量にかかわらず一定になるのである。但し、Ｙ，Ｍ，Ｃのうち、何れかの色のプロセスユニットが着脱されると、それら実変動波形の位相のズレの関係が変化する。着脱の際に、そのプロセスユニットが新たなものと交換されたり、交換されなかったものの、プリンタ本体側のカップリングと感光体側のカップリングとの噛み合い状態が着脱前の状態から変化したりすると、そのユニットの感光体の実変動波形が変化するからである。そこで、制御部１５０は、プロセスユニットの着脱操作が検知された場合には、そのユニットの感光体における変化後の実変動波形を取得するために、波形取得処理を実施するのである。なお、本第１具体例においては、Ｙ，Ｍ，Ｃの３色のうち、Ｍの実変動波形をＫの実変動波形に合わせるので、Ｙ，Ｃの２色については、実変動波形を取得する必要がない。このため、Ｙ，Ｃの２色については、実変動波形のデータを記憶せず、且つ、ユニット着脱を検知しても波形取得処理を行わないようになっている。但し、それら２色の実変動波形との関係も理解できるように、図１５や、後述する図１６、図１７においては、ＫやＭの実変動波形に加えて、ＹやＣの実変動波形も描いている。
【００６４】
制御部１５０は、カラーモードのプリントジョブ処理をスタートして、Ｋ用の駆動モータ９０Ｋと、カラー用の駆動モータ９０ＹＭＣとを駆動させると、Ｋギヤセンサ９１Ｋやカラーギヤセンサ９１ＹＭＣからの出力に基づいて、Ｋの実変動波形の位相と、Ｍの実変動波形の位相とを把握する。１つ前のプリントジョブがモノクロモードのジョブであった場合には、図１５に示すように、Ｋの実変動波形の位相と、Ｍの実変動波形の位相とは大きくずれる。そこで、制御部１５０は、２つのギヤセンサからの出力に基づいて、カラー用の駆動モータ９０ＹＭＣの駆動量を一時的に変化させることで、図１６に示すように、Ｍの実変動波形の位相をＫの実変動波形の位相に合わせる。なお、図１６においては、ＫとＭの位相の同期を分かり易くするために、Ｙ，Ｍ，Ｃの３色の他、Ｋについても、実変動波形を同一座標上に描いている。
【００６５】
このようにして位相を合わせても、それら実変動波形は完全には重ならない。図示のように、それら実変動波形の振幅が互いに異なるからである。図示の例では、Ｍの実変動波形の振幅がＫの実変動波形の振幅よりも小さくなっている。このような場合には、Ｋの実変動波形の振幅をＫの実変動波形の振幅に一致させるために、カラー用の駆動モータ９０ＹＭＣの駆動速度を微調整してＭの速度変動量をわざと大きくすればよい。また、その逆に、Ｍの実変動波形の振幅がＫの実変動波形の振幅よりも大きくなっている場合には、Ｍの速度変動量を小さくして２つの実変動波形を一致させればよい。そこで、Ｋの実変動波形とＭの実変動波形との差に基づいて予め構築しておいたＭ駆動速度パターンに基づいて、所定のパターンでカラー用の駆動モータ９０ＹＭＣの駆動速度を微調整する処理を開始する。これにより、図１７に示すように、ＫとＭとで実変動波形をほぼ一致させてから、各色の感光体１Ｙ，Ｍ，Ｃ，Ｋに対する光書込処理を開始する。
【００６６】
［第２具体例］
基準色であるＫに対しては、Ｙが最もドットのズレを認識し難い色であるが、それでもズレ量がかなり大きければ、それら２色間のズレは容易に視認されてしまう。そこで、第２具体例に係るプリンタでは、互いにカラー用の駆動モータ９０ＹＭＣを兼用している３つの感光体１Ｙ，Ｍ，Ｃにおける何れか１つの実変動波形の位相及び振幅を、Ｋ用の感光体１Ｋにおける実変動波形の位相及び振幅に合わせる処理に代えて、次のような処理を行うようになっている。即ち、カラー用の３つの感光体１Ｙ，Ｍ，Ｃにおけるそれぞれの実変動波形を平均したカラー実変動平均波形における位相及び振幅を、Ｋ用の感光体１Ｋにおける実変動波形の位相及び振幅に合わせる処理である。
【００６７】
制御部１５０は、カラー用の駆動モータ（９０ＹＭＣ）を兼用している３つの感光体１Ｙ，Ｍ，Ｃのうち、何れか１つでも脱着操作を検知すると、その脱着された感光体の実変動波形を取得する波形取得処理に加えて、実変動平均波形を更新する平均波形更新処理を実施するようになっている。３の感光体１Ｙ，Ｍ，Ｃにおけるそれぞれの実変動波形のうち、何れか１つでも変化すると、それら３つの実変動波形の平均である実変動平均波形も変化してしまうからである。そこで、感光体１Ｙ，Ｍ，Ｃの何れかの脱着操作を検知した場合には、脱着操作後の感光体の実変動波形を波形取得処理によって取得して更新する。次いで、更新後の実変動波形に基づいて、感光体１Ｙ，Ｍ，Ｃのそれぞれの実変動波形を平均化したカラー実変動平均波形を求めるのである。
【００６８】
図１８は、第２具体例に係るプリンタにおける各色の感光体の実変動波形をカラー重畳波形ｙｍｃとともに示すグラフである。同図において、カラー用の駆動モータ（９０ＹＭＣ）を兼用する３つの感光体１Ｙ，Ｍ，Ｃのそれぞれにおける実変動波形（Ｙ，Ｍ，Ｃ）は、何れも脱着操作後に更新されたものである。制御部１５０は、それら３つの実変動波形に基づいて、次のようにして実変動平均波形を求める。即ち、まず、図示のように、それら３つの実変動波形を全て重畳したカラー重畳波形ｙｍｃを求める。次に、図１９に示すように、カラー重畳波形ｙｍｃの振幅を１／３に減じて、それを実変動平均波形Ａｙｍｃとして求めた後、データ記憶手段に記憶していた実変動平均波形Ａｙｍｃのデータを更新する。
【００６９】
制御部１５０は、カラーモードのプリントジョブの開始に伴ってＫ用の駆動モータ９０Ｋと、カラー用の駆動モータ９０ＹＭＣとを駆動させると、Ｋギヤセンサ９１Ｋやカラーギヤセンサ９１ＹＭＣからの出力に基づいて、Ｋの実変動波形の位相と、カラー実変動平均波形Ａｙｍｃの位相とを把握する。１つ前のプリントジョブがモノクロモードのジョブであった場合には、図２０に示すように、Ｋの実変動波形の位相と、カラー実変動平均波形Ａｙｍｃの位相とが大きくずれる。そこで、制御部１５０は、２つのギヤセンサからの出力に基づいて、カラー用の駆動モータ９０ＹＭＣの駆動量を一時的に変化させることで、図２１に示すように、カラー実変動平均波形Ａｍｃの位相をＫの実変動波形の位相に合わせる。次いで、Ｋの実変動波形とカラー実変動平均波形Ａｙｍｃとの差に基づいて予め構築しておいたカラー駆動速度パターンに基づいて、所定のパターンでカラー用の駆動モータ９０ＹＭＣの駆動速度を微調整する処理を開始する。これにより、図２２に示すように、Ｋの実変動波形と、カラー実変動平均波形Ａｙｍｃとをほぼ一致させてから、各色の感光体１Ｙ，Ｍ，Ｃ，Ｋに対する光書込処理を開始する。
【００７０】
これまで、感光体１Ｙ，Ｍ，Ｃ，Ｋ上のトナー像を中間転写ベルト８に重ね合わせて転写する方式のプリンタについて説明したが、次のような画像形成装置にも、本発明の適用が可能である。即ち、複数の感光体上のトナー像を、無端移動するベルト部材などといった無端移動体の表面に保持しながら搬送している記録紙の表面に重ね合わせて転写する画像形成装置である。
【００７１】
以上、具体例１に係るプリンタにおいては、第２駆動源たるカラー用の駆動モータ９０ＹＭＣを、２つ以上の感光体（１Ｙ，Ｍ，Ｃ）の駆動源として兼用し、それらの感光体のうち、特定の１つであるＭ用の感光体１Ｍについての実変動波形を第２波形として把握するように波形把握手段たる制御部１５０を構成している。そして、Ｍ用の感光体１Ｍの実変動波形の位相及び振幅を、Ｋ用の感光体１Ｋの実変動波形の位相及び振幅に合わせる処理を実施するように、制御手段たる制御部１５０を構成している。かかる構成では、ＫとＭとの間でドットの重ね合わせズレを許容レベルに留めることができる。
【００７２】
また、第２具体例に係るプリンタにおいては、カラーの３つの実変動波形（Ｙ，Ｍ，Ｃ）の何れかにおける位相及び振幅を、Ｋの実変動波形の位相及び振幅に合わせる処理に代えて、カラーの３つの実変動波形を平均化したカラー実変動平均波形Ａｙｍｃの位相及び振幅を、Ｋの実変動波形の位相及び振幅に合わせる処理を実施するように、制御部を構成している。かかる構成においては、カラーのＹ，Ｍ，Ｃの３色のドットについてそれぞれ、Ｋのドットとの重ね合わせズレを抑えることができる。
【図面の簡単な説明】
【００７３】
【図１】各色の感光体の実変動波形を例示するグラフ。
【図２】２つの感光体におけるそれぞれの実変動波形の位相合わせと、振幅の差分とを説明するグラフ。
【図３】実施形態に係るプリンタを示す概略構成図。
【図４】同プリンタのＹ用のプロセスユニットと、その周囲とを示す拡大構成図。
【図５】プロセスユニットと感光体駆動系とを示す斜視図。
【図６】感光体ギヤの偏心に起因する感光体の速度変動成分と、カップリングズレに起因する感光体の速度変動成分と、実変動波形との関係を示すグラフ。
【図７】速度変動波形処理によって検出された４つの実変動波形の一例を示すグラフ。
【図８】位相合わせ処理後における４つの実変動波形を示すグラフ。
【図９】同プリンタにおける４つの感光体の周囲構成を示す拡大構成図。
【図１０】同周囲構成を示す斜視図。
【図１１】４つの感光体の周囲構成を図９とは逆側から示す拡大構成図。
【図１２】実施例に係るプリンタにおける中間転写ベルトの一部と、その周囲構成とを示す斜視図。
【図１３】同プリンタの電気回路の一部を示すブロック図。
【図１４】同中間転写ベルト上に形成されるパターン像を示す拡大模式図。
【図１５】第１具体例に係るプリンタにおける各色の感光体の実変動波形を示すグラフ。
【図１６】位相合わせ後における各色の感光体の実変動波形を示すグラフ。
【図１７】駆動速度調整時における各色の感光体の実変動波形を示すグラフ。
【図１８】第２具体例に係るプリンタにおける各色の感光体の実変動波形をカラー重畳波形とともに示すグラフ。
【図１９】カラー重畳波形とカラー実変動平均波形とＫの実変動波形とを示すグラフ。
【図２０】各色の実変動波形とカラー実変動平均波形とを示すグラフ。
【図２１】位相合わせ処理後における各色の各色の実変動波形とカラー実変動平均波形とを示すグラフ。
【図２２】駆動速度調整時における各色の感光体の実変動波形を示すグラフ。
【符号の説明】
【００７４】
１Ｙ，Ｍ，Ｃ，Ｋ：感光体（像担持体）
６Ｙ，Ｍ，Ｃ，Ｋ：プロセスユニット（可視像形成手段の一部）
７：光書込ユニット（可視像形成手段の一部）
８：中間転写ベルト（無端移動体）
１５：転写ユニット（転写手段）
９０Ｋ：Ｋ用の駆動モータ（第１駆動源）
９０ＹＭＣ：カラー用の駆動モータ（第２駆動源）
９１Ｋ：Ｋギヤセンサ（回転角度検知手段）
９１ＹＭＣ：カラーギヤセンサ（回転角度検知手段）
１５０：制御部（制御手段）
２０１Ｙ，Ｍ，Ｃ，Ｋ：カップリング（連結手段の一部）
２０２Ｙ，Ｍ，Ｃ，Ｋ：感光体ギヤ（像担持体ギヤ）
【図１】
2010008510.tif 000003
【図２】
2010008510.tif 000004
【図３】
2010008510.tif 000005
【図４】
2010008510.tif 000006
【図５】
2010008510.tif 000007
【図６】
2010008510.tif 000008
【図７】
2010008510.tif 000009
【図８】
2010008510.tif 000010
【図９】
2010008510.tif 000011
【図１０】
2010008510.tif 000012
【図１１】
2010008510.tif 000013
【図１２】
2010008510.tif 000014
【図１３】
2010008510.tif 000015
【図１４】
2010008510.tif 000016
【図１５】
2010008510.tif 000017
【図１６】
2010008510.tif 000018
【図１７】
2010008510.tif 000019
【図１８】
2010008510.tif 000020
【図１９】
2010008510.tif 000021
【図２０】
2010008510.tif 000022
【図２１】
2010008510.tif 000023
【図２２】
2010008510.tif 000024